(57)【要約】  本発明は、衣類（１）を装着するもしくは取り去る、または荷物を閉じる、装着する、開放する、もしくは取り去るための方法であって、衣類（１）または荷物は、テンション要素（３）によって、締め付けるまたは緩めるための回転閉じ具（２）であって、従動テンションローラ（４）を含む、回転閉じ具（２）と、コントローラ（７）に連結されるスイッチ要素（６）と、を含み、締め付けることまたは緩めることは、衣類（１）または荷物のユーザによってスイッチ要素（６）を作動させることによって行われる、方法に関する。本発明によれば、とりわけ、簡易かつ再現可能なやり方で、特に衣類を締め付け可能にするために、スイッチ要素（６）は、相互に隣接して配置され、かつ衣類または荷物のユーザが利用しやすい表面（１０）を形成するいくつかの接触感応センサ（９）を有し、方法は、ユーザがセンサ（９）の表面（１０）を第１の方向（Ｒ１）に走査するステップと、コントローラ（７）によってセンサ（９）の信号を検出するステップと、制御手段（７）および電気モータ（５）によって、テンション要素（３）の、第１の張力レベルまたは第１の閉経路で、衣類（１）を装着すること、または荷物を閉じるもしくは装着することを生じさせるステップと、を含む。本発明はさらに、衣類または荷物に関する。【選択図】図２
2020507684.tif 000002
【特許請求の範囲】
【請求項１】
着用者に対して衣類（１）を装着するもしくは取り去る、または人が持ち運ぶ荷物を閉じる、装着する、開放する、もしくは取り去るための方法であって、前記衣類（１）または前記荷物は、
少なくとも１つのテンション要素（３）によって、前記着用者に対して前記衣類（１）を締め付けるもしくは緩める、または前記荷物を閉じる、装着する、開放する、もしくは取り去るための回転閉じ具（２）であって、前記回転閉じ具（２）は前記テンション要素（３）を巻き付けるための回転可能に配置されるテンションローラ（４）を含み、前記テンションローラ（４）は電気モータ（５）によって駆動される、回転閉じ具（２）と、
制御手段（７）に連結されるスイッチ要素（６）であって、前記スイッチ要素（６）および前記制御手段（７）は前記電気モータ（５）を作動させることができる、スイッチ要素（６）と、を含み、
前記着用者に対して前記衣類を締め付けることもしくは緩めること、または、前記荷物を閉じる、装着する、開放する、もしくは取り去ることは、前記衣類（１）または前記荷物のユーザによって、好ましくは指（８）を使用して、前記スイッチ要素（６）を作動させることによって行われ、
前記スイッチ要素（６）は、並んで配置され、かつ前記衣類または前記荷物の前記ユーザが利用しやすい表面（１０）を形成するいくつかのタッチセンサ（９）を含み、前記方法は、
前記ユーザが、好ましくは前記指（８）で、前記タッチセンサ（９）の前記表面（１０）に第１の方向（Ｒ１）にかざすステップと、
前記制御手段（７）によって前記タッチセンサ（９）の信号を検出し、かつ前記制御手段（７）および前記電気モータ（５）によって、前記テンション要素（３）の、第１のレベルの締結力でまたは第１の閉経路で、前記衣類の前記着用者が前記衣類を装着すること、または持ち運ばれる前記荷物を閉じるもしくは装着することを生じさせるステップと、を含むことを特徴とする、方法。
【請求項２】
前記ユーザが、好ましくは前記指（８）で、前記タッチセンサ（９）の前記表面（１０）に前記第１の方向（Ｒ１）に新たにかざすステップと、
前記制御手段（７）によって前記タッチセンサ（９）の前記信号を検出し、かつ前記制御手段（７）および前記電気モータ（５）によって、前記テンション要素（３）の、第２のレベルの締結力でまたは第２の閉経路で、前記衣類（１）の前記着用者が前記衣類を装着すること、または前記持ち運ばれる荷物を閉じるもしくは装着することを生じさせるステップであって、前記第２のレベルの締結力は前記第１のレベルの締結力より高い、または前記第２の閉経路は前記第１の閉経路より大きい、ステップと、をさらに含むことを特徴とする、請求項１に記載の方法。
【請求項３】
前記ユーザが、好ましくは前記指（８）で、前記タッチセンサ（９）の前記表面（１０）に前記第１の方向（Ｒ１）に新たにかざすステップと、
前記制御手段（７）によって前記タッチセンサ（９）の前記信号を検出し、かつ前記制御手段（７）および前記電気モータ（５）によって、前記テンション要素（３）の、第３のレベルの締結力でまたは第３の閉経路で、前記衣類（１）の前記着用者が前記衣類を装着すること、または前記持ち運ばれる荷物を閉じるもしくは装着することを生じさせるステップであって、前記第３のレベルの締結力は前記第２のレベルの締結力より高い、または前記第３の閉経路は前記第２の閉経路より大きい、ステップと、をさらに含むことを特徴とする、請求項２に記載の方法。
【請求項４】
前記ユーザが、好ましくは前記指（８）で、前記タッチセンサの前記表面（１０）に、前記第１の方向（Ｒ１）と反対の第２の方向（Ｒ２）にかざすステップと、
前記制御手段（７）によって前記タッチセンサ（９）の前記信号を検出し、かつ前記制御手段（７）および前記電気モータ（７）によって、前記テンション要素（３）を、低減させた前記締結力のレベルまたは低減させた閉経路まで緩和することを生じさせるステップと、をさらに含むことを特徴とする、請求項１から３のいずれか一項に記載の方法。
【請求項５】
前記スイッチ要素（６）においてまたは前記スイッチ要素（６）上で、いくつかの照明要素（１１）、特にＬＥＤが配置され、稼働させた前記照明要素の数によって、前記締結力または実際の前記閉経路の実際のレベルが表示されることを特徴とする、請求項１から４のいずれか一項に記載の方法。
【請求項６】
衣類または荷物（１）であって、
少なくとも１つのテンション要素（３）によって、着用者に対して前記衣類（１）を装着するもしくは取り去る、または人が持ち運ぶ前記荷物を閉じる、装着する、開放する、もしくは取り去るための回転閉じ具（２）であって、前記テンション要素（３）を巻き付けるための回転可能に配置されるテンションローラ（４）を含み、前記テンションローラ（４）は電気モータ（５）によって駆動される、回転閉じ具（２）と、
制御手段（７）に連結されるスイッチ要素（６）であって、前記スイッチ要素（６）および前記制御手段（７）は前記電気モータ（５）を作動させることができる、スイッチ要素（６）と、を含み、
前記スイッチ要素（６）は、ユーザが利用しやすい表面（１０）を形成する、並んで配置されるいくつかのタッチセンサ（９）によって形成されることを特徴とする、衣類または荷物（１）。
【請求項７】
個々の前記タッチセンサ（９）は容量センサとして設計されることを特徴とする、請求項６に記載の衣類または荷物。
【請求項８】
個々の前記タッチセンサ（９）は、直線状に並んで配置され、好ましくは、３〜７のタッチセンサ（９）が並んで配置されることを特徴とする、請求項６または７に記載の衣類または荷物。
【請求項９】
前記スイッチ要素（６）においてまたは前記スイッチ要素（６）上で、いくつかの照明要素（１１）、特にＬＥＤが配置されることを特徴とする、請求項６から８のいずれか一項に記載の衣類または荷物。
【請求項１０】
前記スイッチ要素（６）および前記回転閉じ具（２）は、前記衣類または荷物（１）の種々の場所に配置されることを特徴とする、請求項６から９のいずれか一項に記載の衣類または荷物。
【請求項１１】
開放位置において前記衣類または荷物（１）を前記テンション要素（３）の力に対して付勢するばね手段が前記衣類または荷物（１）に配置されることを特徴とする、請求項６から１０のいずれか一項に記載の衣類または荷物。
【請求項１２】
エネルギーを供給するために、誘導式でおよび／または非接触式で充電可能である充電式バッテリが前記衣類または荷物（１）に配置されることを特徴とする、請求項６から１１のいずれか一項に記載の衣類または荷物。
【請求項１３】
携帯電話との無線通信用に、特に、Ｂｌｕｅｔｏｏｔｈ（登録商標）を介した通信用に設計されるインターフェースを含むことを特徴とする、請求項６から１２のいずれか一項に記載の衣類または荷物。
【請求項１４】
帽子、上着、ズボン、パーカー、ブラ、またはベルトであることを特徴とする、請求項６から１３のいずれか一項に記載の衣類または荷物。
【請求項１５】
バックパック、または運動用もしくは旅行用バッグであることを特徴とする、請求項６から１３のいずれか一項に記載の衣類または荷物。
【発明の詳細な説明】
【技術分野】
【０００１】
本発明は、着用者に対して衣類を装着するもしくは取り去る、または人が持ち運ぶ荷物を閉じる、装着する、開放する、もしくは取り去るための方法であって、衣類または荷物は、
−少なくとも１つのテンション要素によって、着用者に対して衣類を締め付けるもしくは緩める、または荷物を閉じる、装着する、開放する、もしくは取り去るための回転閉じ具であって、回転閉じ具はテンション要素を巻き付けるための回転可能に配置されるテンションローラを含み、テンションローラは電気モータによって駆動される、回転閉じ具と、
−制御手段に連結されるスイッチ要素であって、スイッチ要素および制御手段は電気モータを作動させることができる、スイッチ要素と、を含み、
着用者に対して衣類を締め付けることもしくは緩めること、または、荷物を閉じる、装着する、開放する、もしくは取り去ることは、衣類または荷物のユーザによって、好ましくは指を使用して、スイッチ要素を作動させることによって行われる、方法に関する。
【０００２】
さらに、本発明は、衣類または荷物に関する。
【背景技術】
【０００３】
上記の回転閉じ具は、靴において使用されることで知られている。例えば、電動で動作する回転閉じ具によって動作する靴を開示している特許文献１を参照する。ここで、テンション要素を巻き付けるためのテンションローラは電気モータによって駆動されるため、靴は自動的に紐が締められかつ紐が緩められることが可能である。電気スイッチは靴紐を結ぶためにユーザによって動作させられ、スイッチが押されている間にわたり、回転閉じ具の電気モータを稼働する。紐締め力はそれに応じて徐々に増大する。所望の紐締め力レベルに達すると、ユーザはスイッチを再び解除する。対応して、靴紐を緩めるために別のスイッチを作動させることができる。
【０００４】
従って、靴の紐締めは、紐締めに要するだけの時間にわたり、ユーザがスイッチを押していなければならない。さらに、ユーザはそれぞれの紐締めのための所望の紐締め力レベルを設定しなければならない。
【０００５】
他の衣料品または荷物に使用可能である自動閉じ具を係合させなければならない時にも、同様の検討事項が該当する。ここでも、（例えば、キャップまたは上着の形態の）衣料品または（例えば、バックパックの形態の）荷物を装着し、かつこれを指定されたテンションレベルで着用者の体に固定することが必要な時がある。
【先行技術文献】
【特許文献】
【０００６】
【特許文献１】独国実用新案第２９８１７００３号明細書
【発明の概要】
【発明が解決しようとする課題】
【０００７】
本発明の目的は、一般的に、着用者に対して衣類を装着するもしくは取り去ること、または、人が持ち運ぶ荷物を閉じる、装着する、開放する、もしくは取り去ることが容易になるように、上述されたタイプの方法をさらに進展させることである。とりわけ、これを快適かつ簡易なやり方で実現することを可能とする。とりわけ、衣類を装着するもしくは取り去ること、または、荷物を閉じる、装着する、開放する、もしくは取り去ることを、ユーザフレンドリーなやり方で個々の要望に適応させることを可能とする。これによって、多大な操作力をかけずにユーザの要望に従って定められた張力レベルによって衣類または荷物それぞれを装着することを可能とする。さらに、対応する衣類または荷物が提供されるものとする。
【課題を解決するための手段】
【０００８】
本発明による目的の解決策は、スイッチ要素が、並んで配置され、かつ衣類または荷物のユーザが利用しやすい表面を形成するいくつかのタッチセンサを含み、方法が、
−ユーザが、好ましくは指で、タッチセンサの表面に第１の方向にかざすステップと、
−制御手段によってタッチセンサの信号を検出し、かつ制御手段および電気モータによって、テンション要素の、第１のレベルの締結力でまたは第１の閉経路で、衣類の着用者に対して衣類を装着すること、または持ち運ばれる荷物を閉じるもしくは装着することを生じさせるステップと、を含むことを特徴とする。
【０００９】
方法は、
−ユーザが、好ましくは指で、タッチセンサの表面に第１の方向に新たにかざすステップと、
−制御手段によってタッチセンサの信号を検出し、かつ制御手段および電気モータによって、テンション要素の、第２のレベルの締結力でまたは第２の閉経路で、衣類の着用者に対して衣類を装着すること、または持ち運ばれる荷物を閉じるもしくは装着することを生じさせるステップであって、第２のレベルの締結力は第１のレベルの締結力より高い、または第２の閉経路は第１の閉経路より大きい、ステップと、をさらに含むことができる。
【００１０】
よって、第２のより高いレベルの締結力に容易に達することができる。この原理をさらに引き続かせることも可能である。すなわち、方法はまた、
−ユーザが、好ましくは指で、タッチセンサの表面に第１の方向に新たにかざすステップと、
−制御手段によってタッチセンサの信号を検出し、かつ制御手段および電気モータによって、テンション要素の、第３のレベルの締結力でまたは第３の閉経路で、衣類の着用者に対して衣類を装着すること、または持ち運ばれる荷物を閉じるもしくは装着することを生じさせるステップであって、第３のレベルの締結力は第２のレベルの締結力より高い、または第３の閉経路は第２の閉経路より大きい、ステップと、を含むことができる。
【００１１】
タッチセンサにさらにかざすことはまた、締結力レベルまたは閉経路を段階的にさらに増大させるために実行可能である。締結力レベルは好ましくは、電気モータを動作させる電流によって定められる（以下を参照）。
【００１２】
衣類または荷物の開放、または締結力レベルの低減には、以下のステップ：
−ユーザが、好ましくは指で、タッチセンサの表面に、第１の方向と反対の第２の方向にかざすステップと、
−制御手段によってタッチセンサの信号を検出し、かつ制御手段および電気モータによって、テンション要素を、低減させた締結力のレベルまたは低減させた閉経路まで緩和することを生じさせるステップと、を実行することが好ましい。
【００１３】
完全緩和終端位置に対して、テンションローラは、テンションローラのゼロ位置を検出することが可能な回転角度センサを備えることができる。
【００１４】
上記のように、タッチセンサの表面にかざすことは、ユーザが（好ましくは指を使用して）センサに完全にかざす、すなわち、センサの全表面積にかざすような好ましい手順に従って行われる。このように、説明のとおり、締結力レベルおよび閉経路はそれぞれ、段階的にまたは次第に増大させることができ、同じように、（表面に反対方向にかざす場合）締結力レベルは低減可能であり、衣類または荷物は、それぞれ、完全に開放される、または取り去る準備ができるようにすることが可能である。
【００１５】
しかしながら、タッチセンサの表面に完全にかざさずに、（指によって）この拡張部分の一部にのみにかざすことも可能である。するとコントローラは、ユーザが表面にかざしている時間の長さに応じて、電気モータに（好ましくは比例する）信号を送ることができ、張力はそれに応じて増大し、かつ閉経路はそれぞれ増大する、または（反対方向にかざすことによって）低減する。
【００１６】
よって、提案した手順によって、衣類の段階的な閉鎖（締結）および開放（緩和）、ならびに人が持ち運ぶ荷物を段階的に閉じる、装着する、開放する、または取り去ることがそれぞれ可能になり、これについて、上記の締結または開放を細かく調節できるようにするために、タッチセンサの表面に、完全にまたは部分的にのみかざす。
【００１７】
これによって、いくつかのタッチセンサに（第１の方向において）単にかざすことで、具体的に定められた衣類または荷物の締結力レベルに近づけること、また（第２の方向において）一度センサにかざすことで、衣類または荷物を開放する、すなわち、テンション要素を解除することが可能になる。
【００１８】
これによって、締結すること、緩和すること、ならびに開放することおよび閉じることそれぞれが非常に容易かつ快適になる。
【００１９】
スイッチ要素においてまたはスイッチ要素上で、特に発光ダイオード（ＬＥＤ）の形態の、いくつかの照明要素が配置可能であり、稼働させた照明要素の数によって、締結力の実際のレベルが表示される。これによって、衣類または荷物のユーザは、体において衣類または荷物が現在どれくらいきつく締結されているかを容易に見ることが可能になる。点灯したＬＥＤが多いほど衣類または荷物はよりきつく締め付けられている。ＬＥＤによって、衣類または荷物の開放状態も指示可能である。
【００２０】
回転閉じ具およびスイッチ要素を有する提案された衣類または荷物は、本発明によれば、スイッチ要素が、衣類または荷物のユーザが（特に、ユーザの指にとって）利用しやすい表面を形成する、並んで配置されるいくつかのタッチセンサによって形成されるという点で、特徴付けられる。センサの一般的な表面は、可能な限り滑らかかつ平坦である。
【００２１】
このことは、個々のタッチセンサが、表面にかざされることにより、上記の機能性を生じさせるように稼働可能であるとして、理解されたい。
【００２２】
個々のタッチセンサは従って、好ましくは容量センサとして設計される。
【００２３】
個々のタッチセンサは、好ましくは直線状に並んで配置され、好ましくは３〜７のタッチセンサが並んで配置される。
【００２４】
スイッチ要素においてまたはスイッチ要素上で、いくつかの照明要素、特にＬＥＤが配置されるのが好ましい。
【００２５】
好ましい実施形態によると、スイッチ要素および回転閉じ具は、衣類または荷物の種々の場所に配置される。しかしながら、回転閉じ具と組み合わせて（回転閉じ具およびスイッチ要素から成る）１ユニットを形成することも可能である。
【００２６】
上で説明したように、ユーザは通常、自分の指をタッチセンサの表面にかざすことになる。しかしながら、これは必須ではなく、かざすための補助具（例えば、ペン）を使用するようにすることも可能である。
【００２７】
開放位置において衣類または荷物をテンション要素の力に対して付勢するばね手段を衣類または荷物に配置可能である。これによって、回転閉じ具が開放された後に、衣類または荷物が開放位置で確実に「開く」ようになり、衣類または荷物を装着するおよび取り去ることが容易になる。
【００２８】
エネルギーを供給するために、好ましくは、誘導式でおよび／または非接触式で充電可能である充電式バッテリが衣類または荷物に配置される。この場合、モータの動作に必要とされるバッテリは、従って、充電式バッテリとして設計され、かつ誘導コイルを介して充電電流が供給される。充電に必要とされる電子機器はバッテリ上に直接設置可能である。誘導コイルを設けることによって、衣類または荷物のバッテリは接触せずに充電可能である。衣類または荷物は、バッテリを充電するための適切な帯電板上に設置可能である。上記のＬＥＤはまた、充電中であることまたは充電ステータスを指示するために使用可能である。例えば、ＬＥＤは、充電中は点滅してよく、バッテリが充電されてゆくにつれ、より多くのＬＥＤが点滅する。
【００２９】
衣類または荷物の使用中にバッテリの充電の状態がＬＥＤによって指示されるようにすることも可能である。例えば、ある特定の充電レベルで（例えば、バッテリがその最大充電レベルの５０％未満である時）、ＬＥＤは点滅し始めてよい。
【００３０】
衣類または荷物は、携帯電話との無線通信用に、特に、Ｂｌｕｅｔｏｏｔｈ（登録商標）を介した通信用に設計されるインターフェースも含むことができる。よって、携帯電話（スマートフォン）との通信は、無線通信を介して行われてもよく、この場合、スイッチ要素は携帯電話内に移動可能であり、この場合、スイッチ要素は携帯電話によって形成される。これは、回転閉じ具が、この目的のために対応するアプリを備えるスマートフォンを使用してＢｌｕｅｔｏｏｔｈ（登録商標）を介して無線で制御可能であることを意味する。
【００３１】
衣類は、キャップ、上着、ズボン、パーカー、ブラ、またはベルトであるのが好ましい。荷物はとりわけ、バックパック、および運動用または旅行用バッグである。これらの用途においては、上記で提案される方法および閉鎖システムは、特別な利点にかなうよう使用可能である。
【００３２】
ここで述べられるタッチセンサはそれ自体、市販されており、「ｓセンサ」または「タッチパネル」とも称される。これらは、一般的に、隣り合って配置されるいくつかの（通常は３〜７の）センサであり、これらのそれぞれはタッチセンシティブである。これによって、コントローラは、第１の方向または第２の方向においてかざす際に、個々のセンサから得た一連の測定されたインパルスによって、どのアクション（閉鎖または開放／装着することまたは取り去ること）が実行されるのかを認識することができる。
【００３３】
第１の締結力レベルは、好ましくは、コントローラが締結プロセス中の電気モータに対して設定する第１の所定の最大電流によって定められ、この電流は好ましくは１．１Ａ〜１．９Ａである。第２の締結力レベルは、類似してかつ好ましくは、締結動作中の電気モータにコントローラが与えるような第２の所定の最大電流によって定められ、この場合、第２の最大電流は第１の最大電流より大きく、この電流は好ましくは、２．１Ａ〜２．９Ａである。第３のレベルの締結力は、対応して、好ましくは、締結動作中の電気モータにコントローラが与えるような第３の所定の最大電流によって定められ、この場合、第３の最大電流は第２の最大電流より大きく、この電流は好ましくは、３．１Ａ〜３．９Ａである。
【００３４】
これらの締結力レベルはよって、対応するモータ電流（例えば、第１のレベル：１．５Ａ−第２のレベル：２．５Ａ−第３のレベル：３．５Ａ）の仕様によって定められるため、モータは、対応する最大トルクによって動作し、その結果として、モータとテンションローラとの間の好ましい歯車を介したテンション要素の張力が対応して増大することになる。
【００３５】
テンション要素は、テンションワイヤであるのが好ましく、ポリアミドを含むことができる、またはこの材料から作られ得る。
【００３６】
有利なやり方では、回転閉じ具を有する電動締め合わせシステムを有する衣類または荷物を使用する時に、使用の容易さが改善可能である。
【００３７】
衣類または荷物の一実施形態によると、テンションローラによって同時に巻き付けられることで、衣料品または荷物を着用する人の体に均一の引張圧力をかける２つのテンション要素が設けられるようにしてよい。
【００３８】
当然ながら、この設計は、述べられた用途全てには理にかなわないことが考えられる。しかしながら、これは有利には、例えば、バックパックを装着する時に使用可能であり、この場合、同バックパックの２つの保持ストラップはその後２つのテンション要素によって同時に引張される。上着およびズボンにも同じことが当てはまる。
【００３９】
２つのテンション要素は、それらの２つの端部がテンションローラに取り付けられ、それぞれが、衣料品または荷物の両側に閉曲線を形成する。２つのテンション要素の２つの曲線は、衣料品または荷物の中央平面に対し、実質的に対称とすることができる。
【００４０】
提案された方法はまた、衣類または荷物上にまたは衣類または荷物の内部に圧力センサを設置して、着用者の体に対する衣類または荷物の締結張力の程度を検出することによって、さらに進展させることができる。この圧力は、コントローラに記憶された値と比較可能である。衣類または荷物の着用中に検出される圧力が高すぎる場合、コントローラは自動的に締結張力を低減させるようにすることが可能である。逆に、この圧力が低すぎる場合、衣類または荷物を再度締結することもでき、これは制御システムによって自給的に行われ得る。
【００４１】
図面において、本発明の一実施形態が示されている。
【図面の簡単な説明】
【００４２】
【図１】着用者の頭において回転閉じ具によって締結可能である、部分的に切断されて示される、帽子の概略側面図である。
【図２】帽子を使用する人の指によって回転閉じ具を作動させるためのスイッチ要素の斜視図である。
【発明を実施するための形態】
【００４３】
図１は、帽子の形態の衣料品１を示す。帽子１は、ひさし付きキャップとして設計され、まびさしには１３と印されている。帽子１は、（示されない）着用者の頭に置かれる場合、着用者の頭において所望のテンションレベルによって引張され得る。テンションストラップ１２はこの目的のために設けられる。従来の解決策では、テンションストラップは所望の張力レベルまで手動で調節される。
【００４４】
提案された解決策では、これに対して電動による解決策が提供され、テンションローラ４を有する回転閉じ具２は帽子１と一体化されている。テンションローラ４は、テンションストラップ１２に連結されるテンション要素３を引張する。電気モータ５は、示されない歯車を介してテンションローラ４を作動させる。電気モータ５は制御手段７によって制御される。スイッチ要素６は（電気モータ５および制御手段７を介して）回転閉じ具２を作動させるために設けられる。
【００４５】
この実施形態では、スイッチ要素６は、帽子の正面に位置し、かつユーザの指によって容易に利用できる。
【００４６】
帽子１の着用者の頭においてテンションストラップ１２を締め付けかつ緩めるために、ユーザは下記のように進める。
【００４７】
図２に示されるように、スイッチ要素６は、いくつかのタッチセンサ９が備えられた表面１０を有する。具体的には、５つのタッチセンサ９は互いに隣り合って直線的に配置される。個々のタッチセンサ９は容量センサとして設計され、それら自体は現状技術において既知である。これらセンサは帽子１のユーザの指８による接触に反応する。
【００４８】
帽子１のテンションストラップ１２を閉じるために、ユーザは、自分の指８を、第１の方向Ｒ１にタッチセンサ９上でさっと動かす。制御手段７がセンサ９のこの接触を検出する場合、制御手段は第１の張力レベルに達するようにする、すなわち、電気モータ５は、モータ電流に対する第１の事前設定された最大値、例えば、１．５Ａで動作する。
【００４９】
ＬＥＤの形態の照明要素１１は、スイッチ要素６上に配置される。照明要素１１の１つまたは複数を稼働させることによって、ユーザには近づけた張力レベルが表示され得る（この実施形態では、鏡においてのみ見ることができる）。
【００５０】
第１の方向Ｒ１において指８によってセンサ９にかざすことが繰り返される場合、第２のより高い張力レベルに近づけることができ、モータ電流に対する第２の指定された最大値は、例えば、ここで２．５Ａとすることができる。
【００５１】
センサ９に再びかざす場合、張力レベルをさらに増大させることができ、モータ電流に対する第３の指定された最大値は、例えば、ここで３．５Ａとすることができる。
【００５２】
モータ５とテンションローラ４との間の伝達比に応じて、および、テンション要素３がテンションストラップ１２に達する箇所までの幾何学的条件に応じて、対応するレベルの張力がもたらされる。
【００５３】
照明要素１１は、さらには、現時点の張力レベルを指示するために使用可能である。
【００５４】
テンションストラップ１２を開放するために、ユーザは、自分の指８を使用して、表面１０、すなわち、タッチセンサ９上で、第１の方向Ｒ１と反対の第２の方向Ｒ２へさっと動かす。それにより制御手段７は、テンションストラップ１２の完全な開放を開始する。それにより電気モータ５は、完全弛緩状態に移動し、これは、テンションローラ４上の対応する回転角度センサによって判断可能である。
【００５５】
これはすなわち、ユーザが閉鎖スイッチまたは開放スイッチを長時間動作させる必要はなく、説明のとおりタッチセンサ９にかざすだけで十分であるということを意味する。
【００５６】
よって、ユーザは、有利なことに、対応する時間長にわたって閉鎖スイッチを押して調節することなく、自分の要件に適した張力レベルに近づくことができる。
【００５７】
例として帽子を示すが、当然ながら、提案された原理はまた、多くの他の用途に使用可能である。
【００５８】
この点において、とりわけ、（運動用）上着および（運動用）ズボンなどの衣類が述べられ、ここで、ヒップ部分、またはズボンの脚および筒状部の長さにおける衣類の張力といったある特定の幾何学的関係が調節可能である。（運動用）上着について、フードを自動的に上げるまたは下げることも考えられる。とりわけ、上着について、自動開閉ももたらされ得る。上述した設計はまた、ブラ（ブラジャー）での使用には非常に有利である。
【００５９】
他のとりわけ有利な用途にはバックパックがある。ここで、保持ストラップの長さは、バックパックを着用者の必要性に適応させるように説明されるように調節可能である。さらにまた、この用途には自動開閉ももたらされ得る。バッグ、とりわけ、運動用バッグおよび旅行用バッグにも同じことが当てはまり、この場合、通常、自動開閉のみがもたらされる。
【００６０】
別の用途は、説明したデバイスをベルトに一体化することであり、ここで、（引張する）長さは説明したやり方で調節可能である。
【符号の説明】
【００６１】
１  衣類
２  回転閉じ具
３  テンション要素
４  テンションローラ
５  電気モータ
６  スイッチ要素
７  制御手段
８  指
９  タッチセンサ
１０  表面
１１  照明要素（ＬＥＤ）
１２  テンションストラップ
１３  まびさし
Ｒ１  第１の方向
Ｒ２  第２の方向
【図１】
2020507684.tif 000003
【図２】
2020507684.tif 000004
【手続補正書】
【提出日】令和1年11月15日(2019.11.15)
【手続補正１】
【補正対象書類名】明細書
【補正対象項目名】全文
【補正方法】変更
【補正の内容】
【発明の詳細な説明】
【技術分野】
【０００１】
本発明は、着用者に対して帽子、上着、ズボン、パーカー、ブラ、またはベルトを装着するもしくは取り去る、または人が持ち運ぶバックパックまたは運動用もしくは旅行用バッグを閉じる、装着する、開放する、もしくは取り去るための方法であって、帽子、上着、ズボン、パーカー、ブラ、ベルト、バックパック、または運動用もしくは旅行用バッグは、
−少なくとも１つのテンション要素によって、着用者に対して帽子、上着、ズボン、パーカー、ブラ、またはベルトを締め付けるもしくは緩める、またはバックパックまたは運動用もしくは旅行用バッグを閉じる、装着する、開放する、もしくは取り去るための回転閉じ具であって、回転閉じ具はテンション要素を巻き付けるための回転可能に配置されるテンションローラを含み、テンションローラは電気モータによって駆動される、回転閉じ具と、
−制御手段に連結されるスイッチ要素であって、スイッチ要素および制御手段は電気モータを作動させることができる、スイッチ要素と、を含み、
着用者に対して帽子、上着、ズボン、パーカー、ブラ、またはベルトを締め付けることもしくは緩めること、または、バックパックまたは運動用もしくは旅行用バッグを閉じる、装着する、開放する、もしくは取り去ることは、これらのユーザによって、好ましくは指を使用してスイッチ要素を作動させることによって行われる、方法に関する。
【背景技術】
【０００２】
上記の回転閉じ具は、靴において使用されることで知られている。例えば、電動で動作する回転閉じ具によって動作する靴を開示している特許文献１を参照する。ここで、テンション要素を巻き付けるためのテンションローラは電気モータによって駆動されるため、靴は自動的に紐が締められかつ紐が緩められることが可能である。電気スイッチは靴紐を結ぶためにユーザによって動作させ、スイッチが押されている間は回転閉じ具の電気モータを稼働させる。紐締め力はそれに応じて徐々に増大する。所望の紐締め力レベルに達すると、ユーザはスイッチを再び解除する。対応して、靴紐を緩めるために別のスイッチを作動させることができる。
【０００３】
従って、靴の紐締めは、ユーザがスイッチを押さなければならない間の適切な時間を要する。さらに、ユーザはそれぞれの紐締めのための所望の紐締め力レベルを設定しなければならない。
【０００４】
他の衣料品または荷物に使用可能である自動閉じ具を係合させなければならない時にも、同様の検討事項が該当する。ここでも、（例えば、キャップまたは上着の形態の）衣料品または（例えば、バックパックの形態の）荷物を装着し、かつこれを指定されたテンションレベルで着用者の体に固定することが必要な時がある。
【０００５】
特許文献２は、四肢を支持するために着用者の体に適用できる医療機器を開示している。この機器はそのために、電動締め付け装置を備えている。特許文献３からは、モータ駆動回転閉じ具を備えた運動靴が既知であり、これは、携帯電話に接続され、かつ該携帯電話によって制御可能である。他の解決策が特許文献４および特許文献５に示されている。
【先行技術文献】
【特許文献】
【０００６】
【特許文献１】独国実用新案第２９８１７００３号明細書
【特許文献２】米国特許出願公開第２０１４／０２５７１５６号明細書
【特許文献３】米国特許出願公開第２０１４／００８２９６３号明細書
【特許文献４】米国特許出願公開第２００８／０３０１９１９号明細書
【特許文献５】米国特許出願公開第２０１５／０１８５７６４号明細書
【発明の概要】
【発明が解決しようとする課題】
【０００７】
本発明の目的は、一般的に、着用者に対して衣類を装着するもしくは取り去ること、または、人が持ち運ぶ荷物を閉じる、装着する、開放する、もしくは取り去ることが容易になるように、上述されたタイプの方法をさらに進展させることである。とりわけ、これを快適かつ簡易なやり方で実現することを可能とする。とりわけ、衣類を装着するもしくは取り去ること、または、荷物を閉じる、装着する、開放する、もしくは取り去ることを、ユーザフレンドリーなやり方で個々の要望に適応させることを可能とする。これによって、多大な操作力をかけずにユーザの要望に従って定められた張力レベルによって衣類または荷物それぞれを装着することを可能とする。
【課題を解決するための手段】
【０００８】
本発明によるこの目的の解決策は、スイッチ要素が、並んで配置され、かつ衣類または荷物のユーザが利用しやすい表面を形成するいくつかのタッチセンサを含み、方法が、
−ユーザが、好ましくは指で、タッチセンサの表面に第１の方向にかざすステップと、
−制御手段によってタッチセンサの信号を検出し、かつ制御手段および電気モータによって、テンション要素の、第１のレベルの締結力でまたは第１の閉経路で、衣類帽子、上着、ズボン、パーカー、ブラ、またはベルトの着用者に対して衣類これらを装着すること、または持ち運ばれる荷物バックパックまたは運動用もしくは旅行用バッグを閉じるもしくは装着することを生じさせるステップと、を含むことを特徴とする。
【０００９】
方法は、
−ユーザが、好ましくは指で、タッチセンサの表面に第１の方向に新たにかざすステップと、
−制御手段によってタッチセンサの信号を検出し、かつ制御手段および電気モータによって、テンション要素の、第２のレベルの締結力でまたは第２の閉経路で、衣類帽子、上着、ズボン、パーカー、ブラ、またはベルトの着用者に対して衣類これらを装着すること、または持ち運ばれる荷物バックパックまたは運動用もしくは旅行用バッグを閉じるもしくは装着することを生じさせるステップであって、第２のレベルの締結力は第１のレベルの締結力より高い、または第２の閉経路は第１の閉経路より大きい、ステップと、をさらに含むことができる。
【００１０】
よって、第２のより高いレベルの締結力に容易に達することができる。この原理をさらに引き続かせることも可能である。すなわち、方法はまた、
−ユーザが、好ましくは指で、タッチセンサの表面に第１の方向に新たにかざすステップと、
−制御手段によってタッチセンサの信号を検出し、かつ制御手段および電気モータによって、テンション要素の、第３のレベルの締結力でまたは第３の閉経路で、帽子、上着、ズボン、パーカー、ブラ、またはベルトの着用者に対してこれらを装着すること、または持ち運ばれる荷物バックパックまたは運動用もしくは旅行用バッグを閉じるもしくは装着することを生じさせるステップであって、第３のレベルの締結力は第２のレベルの締結力より高い、または第３の閉経路は第２の閉経路より大きい、ステップと、を含むことができる。
【００１１】
タッチセンサにさらにかざすことはまた、締結力レベルまたは閉経路を段階的にさらに増大させるために実行可能である。締結力レベルは好ましくは、電気モータを動作させる電流によって定められる（以下を参照）。
【００１２】
衣類または荷物の開放、または締結力レベルの低減には、以下のステップ：
−ユーザが、好ましくは指で、タッチセンサの表面に、第１の方向と反対の第２の方向にかざすステップと、
−制御手段によってタッチセンサの信号を検出し、かつ制御手段および電気モータによって、テンション要素を、低減させた締結力のレベルまたは低減させた閉経路まで緩和することを生じさせるステップと、を実行することが好ましい。
【００１３】
完全緩和終端位置に対して、テンションローラは、テンションローラのゼロ位置を検出することが可能な回転角度センサを備えることができる。
【００１４】
上記のように、タッチセンサの表面にかざすことは、ユーザが（好ましくは指を使用して）センサに完全にかざす、すなわち、センサの全表面積にかざすような好ましい手順に従って行われる。このように、説明のとおり、締結力レベルおよび閉経路はそれぞれ、段階的にまたは次第に増大させることができ、同じように、（表面に反対方向にかざす場合）締結力レベルは低減可能であり、衣類または荷物は、それぞれ、完全に開放される、または取り去る準備ができるようにすることが可能である。
【００１５】
しかしながら、タッチセンサの表面に完全にかざすのではなく、（指によって）その拡張部分の一部のみにかざすことも可能である。するとコントローラは、ユーザが表面にかざしている時間の長さに応じて、電気モータに（好ましくは比例する）信号を送ることができ、張力はそれに応じて増大し、かつ閉経路はそれぞれ増大する、または（反対方向にかざすことによって）低減する。
【００１６】
よって、提案した手順によって、衣類の段階的な閉鎖（締結）および開放（緩和）、ならびに人が持ち運ぶ荷物を段階的に閉じる、装着する、開放する、または取り去ることがそれぞれ可能になり、これについて、上記の締結または開放を細かく調節できるようにするために、タッチセンサの表面に、完全にまたは部分的にのみかざす。
【００１７】
これによって、いくつかのタッチセンサに（第１の方向において）単にかざすことで、具体的に定められた衣類または荷物の締結力レベルに近づけること、また（第２の方向において）一度センサにかざすことで、衣類または荷物を開放する、すなわち、テンション要素を解除することが可能になる。
【００１８】
これによって、締結すること、緩和すること、ならびに開放することおよび閉じることそれぞれが非常に容易かつ快適になる。
【００１９】
スイッチ要素においてまたはスイッチ要素上で、特に発光ダイオード（ＬＥＤ）の形態の、いくつかの照明要素が配置可能であり、稼働させた照明要素の数によって、締結力の実際のレベルが表示される。これによって、衣類または荷物のユーザは、体において衣類または荷物が現在どれくらいきつく締結されているかを容易に見ることが可能になる。点灯したＬＥＤが多いほど衣類または荷物はよりきつく締め付けられている。ＬＥＤによって、衣類または荷物の開放状態も指示可能である。
【００２０】
回転閉じ具およびスイッチ要素を有する、帽子、上着、ズボン、パーカー、ブラ、ベルト、バックパック、または運動用もしくは旅行用バッグは、スイッチ要素が、衣類または荷物のユーザが（特に、ユーザの指にとって）利用しやすい表面を形成する、並んで配置されるいくつかのタッチセンサによって形成されるという点で、特徴付け可能である。センサの一般的な表面は、可能な限り滑らかかつ平坦である。
【００２１】
このことは、個々のタッチセンサが、表面にかざされることにより、上記の機能性を生じさせるように稼働可能であるとして、理解されたい。
【００２２】
個々のタッチセンサは従って、好ましくは容量センサとして設計される。
【００２３】
個々のタッチセンサは、好ましくは直線状に並んで配置され、好ましくは３〜７のタッチセンサが並んで配置される。
【００２４】
スイッチ要素においてまたはスイッチ要素上で、いくつかの照明要素、特にＬＥＤが配置されるのが好ましい。
【００２５】
好ましい実施形態によると、スイッチ要素および回転閉じ具は、述べられた衣類または荷物の種々の場所に配置される。しかしながら、回転閉じ具と組み合わせて（回転閉じ具およびスイッチ要素から成る）１ユニットを形成することも可能である。
【００２６】
上で説明したように、ユーザは通常、自分の指をタッチセンサの表面にかざすことになる。しかしながら、これは必須ではなく、かざすための補助具（例えば、ペン）を使用するようにすることも可能である。
【００２７】
開放位置において述べられた衣類または荷物をテンション要素の力に対して付勢するばね手段を述べられた衣類または荷物に配置可能である。これによって、回転閉じ具が開放された後に、衣類または荷物が開放位置で確実に「開く」ようになり、衣類または荷物を装着するおよび取り去ることが容易になる。
【００２８】
エネルギーを供給するために、好ましくは、誘導式でおよび／または非接触式で充電可能である充電式バッテリが衣類または荷物に配置される。この場合、モータの動作に必要とされるバッテリは、従って、充電式バッテリとして設計され、かつ誘導コイルを介して充電電流が供給される。充電に必要とされる電子機器はバッテリ上に直接設置可能である。誘導コイルを設けることによって、衣類または荷物のバッテリは接触せずに充電可能である。衣類または荷物は、バッテリを充電するための適切な帯電板上に設置可能である。上記のＬＥＤはまた、充電中であることまたは充電ステータスを指示するために使用可能である。例えば、ＬＥＤは、充電中は点滅してよく、バッテリが充電されてゆくにつれ、より多くのＬＥＤが点滅する。
【００２９】
衣類または荷物の使用中にバッテリの充電の状態がＬＥＤによって指示されるようにすることも可能である。例えば、ある特定の充電レベルで（例えば、バッテリがその最大充電レベルの５０％未満である時）、ＬＥＤは点滅し始めてよい。
【００３０】
上述の用途においては、上記の提案される方法および閉鎖システムは、特別な利点にかなうよう使用可能である。
【００３１】
ここで述べられるタッチセンサはそれ自体、市販されており、「スワイプセンサ」または「タッチパネル」とも称される。これらは、一般的に、隣り合って配置されるいくつかの（通常は３〜７の）センサであり、これらのそれぞれはタッチセンシティブである。これによって、コントローラは、第１の方向または第２の方向においてかざす際に、個々のセンサから得た一連の測定されたインパルスによって、どのアクション（閉鎖または開放／装着することまたは取り去ること）が実行されるのかを認識することができる。
【００３２】
第１の締結力レベルは、好ましくは、コントローラが締結プロセス中の電気モータに対して設定する第１の所定の最大電流によって定められ、この電流は好ましくは１．１Ａ〜１．９Ａである。第２の締結力レベルは、類似してかつ好ましくは、締結動作中の電気モータにコントローラが与えるような第２の所定の最大電流によって定められ、この場合、第２の最大電流は第１の最大電流より大きく、この電流は好ましくは、２．１Ａ〜２．９Ａである。第３のレベルの締結力は、対応して、好ましくは、締結動作中の電気モータにコントローラが与えるような第３の所定の最大電流によって定められ、この場合、第３の最大電流は第２の最大電流より大きく、この電流は好ましくは、３．１Ａ〜３．９Ａである。
【００３３】
これらの締結力レベルはよって、対応するモータ電流（例えば、第１のレベル：１．５Ａ−第２のレベル：２．５Ａ−第３のレベル：３．５Ａ）の仕様によって定められるため、モータは、対応する最大トルクによって動作し、その結果として、モータとテンションローラとの間の好ましい歯車を介したテンション要素の張力が対応して増大することになる。
【００３４】
テンション要素は、テンションワイヤであるのが好ましく、ポリアミドを含むことができる、またはこの材料から作られ得る。
【００３５】
有利なやり方では、回転閉じ具を有する電動締め合わせシステムを有する衣類または荷物を使用する時に、使用の容易さが改善可能である。
【００３６】
衣類または荷物の一実施形態によると、テンションローラによって同時に巻き付けられることで、衣料品または荷物を着用する人の体に均一の引張圧力をかける２つのテンション要素が設けられるようにしてよい。
【００３７】
当然ながら、この設計は、述べられた用途全てには理にかなわないことが考えられる。しかしながら、これは有利には、例えば、バックパックを装着する時に使用可能であり、この場合、同バックパックの２つの保持ストラップはその後２つのテンション要素によって同時に引張される。上着およびズボンにも同じことが当てはまる。
【００３８】
２つのテンション要素は、それらの２つの端部がテンションローラに取り付けられ、それぞれが、衣料品または荷物の両側に閉曲線を形成する。２つのテンション要素の２つの曲線は、衣料品または荷物の中央平面に対し、実質的に対称とすることができる。
【００３９】
提案された方法はまた、衣類または荷物上にまたは衣類または荷物の内部に圧力センサを設置して、着用者の体に対する衣類または荷物の締結張力の程度を検出することによって、さらに進展させることができる。この圧力は、コントローラに記憶された値と比較可能である。衣類または荷物の着用中に検出される圧力が高すぎる場合、コントローラは自動的に締結張力を低減させるようにすることが可能である。逆に、この圧力が低すぎる場合、衣類または荷物を再度締結することもでき、これは制御システムによって自給的に行われ得る。
【００４０】
図面において、本発明の一実施形態が示されている。
【図面の簡単な説明】
【００４１】
【図１】着用者の頭において回転閉じ具によって締結可能である、部分的に切断されて示される、帽子の概略側面図である。
【図２】帽子を使用する人の指によって回転閉じ具を作動させるためのスイッチ要素の斜視図である。
【発明を実施するための形態】
【００４２】
図１は、帽子の形態の衣料品１を示す。帽子１は、ひさし付きキャップとして設計され、まびさしには１３と印されている。帽子１は、（示されない）着用者の頭に置かれる場合、着用者の頭において所望のテンションレベルによって引張され得る。テンションストラップ１２はこの目的のために設けられる。従来の解決策では、テンションストラップは所望の張力レベルまで手動で調節される。
【００４３】
提案された解決策では、これに対して電動による解決策が提供され、テンションローラ４を有する回転閉じ具２は帽子１と一体化されている。テンションローラ４は、テンションストラップ１２に連結されるテンション要素３を引張する。電気モータ５は、示されない歯車を介してテンションローラ４を作動させる。電気モータ５は制御手段７によって制御される。スイッチ要素６は（電気モータ５および制御手段７を介して）回転閉じ具２を作動させるために設けられる。
【００４４】
この実施形態では、スイッチ要素６は、帽子の正面に位置し、かつユーザの指によって容易に利用できる。
【００４５】
帽子１の着用者の頭においてテンションストラップ１２を締め付けかつ緩めるために、ユーザは下記のように進める。
【００４６】
図２に示されるように、スイッチ要素６は、いくつかのタッチセンサ９が備えられた表面１０を有する。具体的には、５つのタッチセンサ９は互いに隣り合って直線的に配置される。個々のタッチセンサ９は容量センサとして設計され、それら自体は現状技術において既知である。これらセンサは帽子１のユーザの指８による接触に反応する。
【００４７】
帽子１のテンションストラップ１２を閉じるために、ユーザは、自分の指８を、第１の方向Ｒ１にタッチセンサ９上でさっと動かす。制御手段７がセンサ９のこの接触を検出する場合、制御手段は第１の張力レベルに達するようにする、すなわち、電気モータ５は、モータ電流に対する第１の事前設定された最大値、例えば、１．５Ａで動作する。
【００４８】
ＬＥＤの形態の照明要素１１は、スイッチ要素６上に配置される。照明要素１１の１つまたは複数を稼働させることによって、ユーザには近づけた張力レベルが表示され得る（この実施形態では、鏡においてのみ見ることができる）。
【００４９】
第１の方向Ｒ１において指８によってセンサ９にかざすことが繰り返される場合、第２のより高い張力レベルに近づけることができ、モータ電流に対する第２の指定された最大値は、例えば、ここで２．５Ａとすることができる。
【００５０】
センサ９に再びかざす場合、張力レベルをさらに増大させることができ、モータ電流に対する第３の指定された最大値は、例えば、ここで３．５Ａとすることができる。
【００５１】
モータ５とテンションローラ４との間の伝達比に応じて、および、テンション要素３がテンションストラップ１２に達する箇所までの幾何学的条件に応じて、対応するレベルの張力がもたらされる。
【００５２】
照明要素１１は、さらには、現時点の張力レベルを指示するために使用可能である。
【００５３】
テンションストラップ１２を開放するために、ユーザは、自分の指８を使用して、表面１０、すなわち、タッチセンサ９上で、第１の方向Ｒ１と反対の第２の方向Ｒ２へさっと動かす。それにより制御手段７は、テンションストラップ１２の完全な開放を開始する。それにより電気モータ５は、完全弛緩状態に移動し、これは、テンションローラ４上の対応する回転角度センサによって判断可能である。
【００５４】
これはすなわち、ユーザが閉鎖スイッチまたは開放スイッチを長時間動作させる必要はなく、説明のとおりタッチセンサ９にかざすだけで十分であるということを意味する。
【００５５】
よって、ユーザは、有利なことに、対応する時間長にわたって閉鎖スイッチを押して調節することなく、自分の要件に適した張力レベルに近づくことができる。
【００５６】
例として帽子を示すが、当然ながら、提案された原理はまた、多くの他の用途に使用可能である。
【００５７】
この点において、とりわけ、（運動用）上着および（運動用）ズボンなどの衣類が述べられ、ここで、ヒップ部分、またはズボンの脚および筒状部の長さにおける衣類の張力といったある特定の幾何学的関係が調節可能である。（運動用）上着について、フードを自動的に上げるまたは下げることも考えられる。とりわけ、上着について、自動開閉ももたらされ得る。上述した設計はまた、ブラ（ブラジャー）での使用には非常に有利である。
【００５８】
他のとりわけ有利な用途にはバックパックがある。ここで、保持ストラップの長さは、バックパックを着用者の必要性に適応させるように説明されるように調節可能である。さらにまた、この用途には自動開閉ももたらされ得る。バッグ、とりわけ、運動用バッグおよび旅行用バッグにも同じことが当てはまり、この場合、通常、自動開閉のみがもたらされる。
【００５９】
別の用途は、説明したデバイスをベルトに一体化することであり、ここで、（引張する）長さは説明したやり方で調節可能である。
【符号の説明】
【００６０】
１  衣類
２  回転閉じ具
３  テンション要素
４  テンションローラ
５  電気モータ
６  スイッチ要素
７  制御手段
８  指
９  タッチセンサ
１０  表面
１１  照明要素（ＬＥＤ）
１２  テンションストラップ
１３  まびさし
Ｒ１  第１の方向
Ｒ２  第２の方向
【手続補正２】
【補正対象書類名】特許請求の範囲
【補正対象項目名】全文
【補正方法】変更
【補正の内容】
【特許請求の範囲】
【請求項１】
着用者に対して帽子、上着、ズボン、パーカー、ブラ、またはベルト（１）を装着するもしくは取り去る、または人が持ち運ぶバックパックまたは運動用もしくは旅行用バッグを閉じる、装着する、開放する、もしくは取り去るための方法であって、前記帽子、上着、ズボン、パーカー、ブラ、ベルト、バックパック、または運動用もしくは旅行用バッグ（１）は、
少なくとも１つのテンション要素（３）によって、前記着用者に対して前記帽子、上着、ズボン、パーカー、ブラ、またはベルト（１）を締め付けるもしくは緩める、または前記荷物バックパックまたは運動用もしくは旅行用バッグを閉じる、装着する、開放する、もしくは取り去るための回転閉じ具（２）であって、前記回転閉じ具（４）は前記テンション要素（３）を巻き付けるための回転可能に配置されるテンションローラ（４）を含み、前記テンションローラ（４）は電気モータ（５）によって駆動される、回転閉じ具（２）と、
制御手段（７）に連結されるスイッチ要素（６）であって、前記スイッチ要素（６）および前記制御手段（７）は前記電気モータ（５）を作動させることができる、スイッチ要素（６）と、を含み、
前記着用者に対して前記帽子、上着、ズボン、パーカー、ブラ、またはベルトを締め付けることもしくは緩めること、または、前記バックパックまたは運動用もしくは旅行用バッグを閉じる、装着する、開放する、もしくは取り去ることは、前記帽子、上着、ズボン、パーカー、ブラ、もしくはベルトまたは前記バックパックもしくは運動用もしくは旅行用バッグのユーザによって、好ましくは指（８）を使用して、前記スイッチ要素（６）を作動させることによって行われ、
前記スイッチ要素（６）は、並んで配置され、かつ前記ユーザが利用しやすい表面（１０）を形成するいくつかのタッチセンサ（９）を含み、前記方法は、
前記ユーザが、好ましくは前記指（８）で、前記タッチセンサ（９）の前記表面（１０）に第１の方向（Ｒ１）にかざすステップと、
前記制御手段（７）によって前記タッチセンサ（９）の信号を検出し、かつ前記制御手段（７）および前記電気モータ（５）によって、前記テンション要素（３）の、第１のレベルの締結力でまたは第１の閉経路で、前記帽子、上着、ズボン、パーカー、ブラ、またはベルトの前記着用者が前記帽子、上着、ズボン、パーカー、ブラ、またはベルトを装着すること、または持ち運ばれる前記バックパックまたは運動用もしくは旅行用バッグを閉じるもしくは装着することを生じさせるステップと、を含む、方法。
【請求項２】
前記ユーザが、好ましくは前記指（８）で、前記タッチセンサ（９）の前記表面（１０）に前記第１の方向（Ｒ１）に新たにかざすステップと、
前記制御手段（９）によって前記タッチセンサ（９）の前記信号を検出し、かつ前記制御手段（７）および前記電気モータ（５）によって、前記テンション要素（３）の、第２のレベルの締結力でまたは第２の閉経路で、前記帽子、上着、ズボン、パーカー、ブラ、またはベルト（１）の前記着用者が前記帽子、上着、ズボン、パーカー、ブラ、またはベルトを装着すること、または前記持ち運ばれるバックパックまたは運動用もしくは旅行用バッグを閉じるもしくは装着することを生じさせるステップであって、前記第２のレベルの締結力は前記第１のレベルの締結力より高い、または前記第２の閉経路は前記第１の閉経路より大きい、ステップと、をさらに含むことを特徴とする、請求項１に記載の方法。
【請求項３】
前記ユーザが、好ましくは前記指（８）で、前記タッチセンサ（９）の前記表面（１０）に前記第１の方向（Ｒ１）に新たにかざすステップと、
前記制御手段（９）によって前記タッチセンサ（９）の前記信号を検出し、かつ前記制御手段（７）および前記電気モータ（５）によって、前記テンション要素（３）の、第３のレベルの締結力でまたは第３の閉経路で、前記帽子、上着、ズボン、パーカー、ブラ、またはベルト（１）の前記着用者が前記帽子、上着、ズボン、パーカー、ブラ、またはベルトを装着すること、または前記持ち運ばれるバックパックまたは運動用もしくは旅行用バッグを閉じるもしくは装着することを生じさせるステップであって、前記第３のレベルの締結力は前記第２のレベルの締結力より高い、または前記第３の閉経路は前記第２の閉経路より大きい、ステップと、をさらに含むことを特徴とする、請求項２に記載の方法。
【請求項４】
前記ユーザが、好ましくは前記指（８）で、前記タッチセンサの前記表面（１０）に、前記第１の方向（Ｒ１）と反対の第２の方向（Ｒ２）にかざすステップと、
前記制御手段（７）によって前記タッチセンサ（９）の前記信号を検出し、かつ前記制御手段（９）および前記電気モータ（７）によって、前記テンション要素（３）を、低減させた前記締結力のレベルまたは低減させた閉経路まで緩和することを生じさせるステップと、をさらに含むことを特徴とする、請求項１から３のいずれか一項に記載の方法。
【請求項５】
前記スイッチ要素（６）においてまたは前記スイッチ要素（６）上で、いくつかの照明要素（１１）、特にＬＥＤが配置され、稼働させた前記照明要素の数によって、前記締結力または実際の前記閉経路の実際のレベルが表示されることを特徴とする、請求項１から４のいずれか一項に記載の方法。
【国際調査報告】
2020507684.tif 000005
2020507684.tif 000006
2020507684.tif 000007
2020507684.tif 000008
2020507684.tif 000009
2020507684.tif 000010